(57)【要約】巾木を床仕上げ材に解放可能に連結するための弾性固定要素（１）であって、この固定要素（１）は、床仕上げ材の下に配置される第１アーム（２）と、床仕上げ材の上に配置され、巾木に係合される第２アーム（３）と、第１アームを第２アームに結合する連結面（４）とを備え、固定要素は、更に、アーム（２，３）の間の内部空間に配置される少なくとも１つの弾性当接要素（６，６´）を含み、少なくとも１つの弾性当接要素は、連結面に沿って拘束されブロックされる第１位置と、内部空間内に延在する第２位置と、を取ることができ、固定要素は、第１位置で当接要素（６，６´）をブロックし、当接要素を第２位置に解放することを可能にする少なくとも１つの係合手段（７）が設けられていることを特徴とする。本発明による巾木および弾性固定要素を含む巾木固定システムであって、巾木は、壁当接カバーアーム（１１）および床当接アーム（１２）から構成され、アーム（１２）は、固定要素に係合されている。【選択図】図３
2019513928.tif 000002
【特許請求の範囲】
【請求項１】
巾木を床仕上げ材に解放可能に連結するための弾性固定要素（１）であって、前記床仕上げ材の下に配置される第１アーム（２）と、前記床仕上げ材の上に配置され、前記巾木に係合される第２アーム（３）と、前記第１アーム（２）を前記第２アーム（３）に結合する連結面（４）とを備え、更に、前記アーム（２，３）の間の内部空間に配置される少なくとも１つの弾性当接要素（６，６´）を含む固定要素（１）であり、前記少なくとも１つの弾性当接要素（６，６´）は、前記連結面（４）に沿って拘束されブロックされる第１位置と、前記内部空間内に延在する第２位置と、を取ることができ、前記第１位置で前記当接要素（６，６´）をブロックし、前記当接要素（６，６´）を前記第２位置に解放することを可能にする少なくとも１つの係合手段（７）が設けられていることを特徴とする、固定要素（１）。
【請求項２】
前記当接要素（６）は、前記固定要素（１）の一体部分を構成し、前記連結面（４）の材料のストリップを切断することによって形成され、前記第２位置において、前記当接要素（６）は、前記固定要素（１）の前記内部空間に向けて湾曲する形状を有することを特徴とする、請求項１に記載の固定要素。
【請求項３】
前記当接要素（６´）は、前記面（４）に連結された別個の材料のストリップを構成することを特徴とする、請求項１に記載の固定要素。
【請求項４】
前記係合手段（７）は、前記固定要素（１）の一体部分を構成し、前記固定要素（１）の材料のストリップを切断することによって形成され、前記材料のストリップは、その自由端が前記第２位置で前記当接要素（６，６´）に係合するように湾曲した形状を有することを特徴とする、請求項１または２または３に記載の固定要素。
【請求項５】
前記当接要素（６，６´）は、前記係合手段（７）を保持するためのブロッキングディテント（９）を含むことを特徴とする、請求項４に記載の固定要素。
【請求項６】
前記係合手段（７）は、前記固定要素（１）の一体部分を構成し、前記固定要素（１）の材料のストリップを切断することによって形成され、前記係合手段（７）は、前記当接要素（６，６´）を保持するための追加のブロッキングディテント（１０）を含むことを特徴とする、請求項１または２または３に記載の固定要素。
【請求項７】
前記係合手段（７）は、前記固定要素（１）の前記内部空間に延在するディテント（７´）であり、前記固定要素（１）は、前記当接要素（６，６´）が前記固定要素（１）の外側から前記第２位置に解放されることを可能にする切り欠き（１２）を含むことを特徴とする、請求項１に記載の固定要素。
【請求項８】
前記ディテント（７´）は、前記固定要素（１）の材料に形成されたノッチによって形成されていることを特徴とする、請求項７に記載の固定要素。
【請求項９】
前記当接要素（６，６´）を前記第２位置に解放するために、前記当接要素（６，６´）と協働する制御部材（１１）が更に設けられていることを特徴とする、請求項７または８に記載の固定要素。
【請求項１０】
前記ディテント（７´）は、前記固定要素（１）に連結された別個の要素であることを特徴とする、請求項７に記載の固定要素。
【請求項１１】
複数の離間した当接要素（６，６´）と、それぞれが対応する当接要素（６，６´）と協働する複数の係合手段（７）とを含むことを特徴とする、請求項１に記載の固定要素。
【請求項１２】
前記固定要素（１）を固定するための少なくとも１つの固定ディテント（１３）を備え、前記固定ディテント（１３）は、好ましくは、前記固定要素材料に形成された外方に湾曲する角度ノッチから構成されることを特徴とする、請求項１または１１に記載の固定要素。
【請求項１３】
請求項１〜１２のいずれか一項に記載の巾木および前記固定要素を含む巾木固定システムであって、前記巾木は、壁当接カバーアーム（１１）および床当接アーム（１２）から構成され、前記床当接アーム（１２）は、前記固定要素（１）に係合されているシステムであり、前記システムが組み立てられた状態において、前記固定要素（１）が前記巾木を前記壁際に配置された床仕上げ材に連結するとき、前記当接要素（６，６´）は、前記第２位置にあり、前記床仕上げ材の前側に、前記固定要素（１）の前記アーム（２，３）に沿って指向される圧力を印加することを特徴とする、システム。
【発明の詳細な説明】
【技術分野】
【０００１】
本発明は、巾木の床仕上げ材への接続領域に関する。
【０００２】
特に、本発明は、弾性固定要素と、巾木およびそのような弾性固定要素を備える巾木固定システムとに関する。
【背景技術】
【０００３】
巾木を取り付けるために使用される巾木固定システムは、本出願人名義のポーランド国特許第２２０４２６号（特許文献１）から公知である。本システムの構成要素の１つに、床仕上げ材の下に配置される第１アームと、床仕上げ材の上に配置され、巾木のベースアームとスナップ係合する第２アームと、を有する弧状の固定要素がある。特許文献１に記載されたシステムにより、設置時に、固定要素を例えば床パネル上に取り付けることで、続いて、巾木を何らかの工具を使用せずとも壁に設置することができる。このような固定要素は、壁に対して取り付けられた巾木を固定要素により同時に押すように、壁に対して常に押し付けられている場合に最も効果的に機能する。従って、特許文献１による本発明の好ましい変形例では、固定要素には、床要素の前縁に圧力を印加する水平方向の弾性部材が設けられている。
【０００４】
しかしながら、記載されたシステムには１つの欠点がある。固定要素は、設置後に正しく動作するが、それらは取り付けが困難な傾向がある。弾性部材は常に緊張しており、かつ固定要素は数十センチメートルだけ離間していなければならないという事実により、設置された床パネルは壁から離間し過ぎる結果となる。固定要素のパネルへの取り付けも、固定要素の弾性部材によって常に壁から押し離される故に困難である。これは、最終パネルが壁際に敷設されている場合に、特に設置の最終段階にて厄介である。最初、このようなパネルは、ほぼ垂直に配向され、最後に敷設されたパネルとスナップ係合し、続いて固定要素が取り付けられ、最後に、最終パネルが敷設される。このような状況では、固定要素はパネルを詰まらせる傾向がある故に、固定要素が落下することがあり、最終的に正しく設置されるように、固定要素を矯正または押圧する必要がある場合がある。
【先行技術文献】
【特許文献】
【０００５】
【特許文献１】ポーランド国特許第２２０４２６号明細書
【発明の概要】
【発明が解決しようとする課題】
【０００６】
本発明の目的は、上記の問題を排除することである。
【課題を解決するための手段】
【０００７】
本発明によれば、巾木を床仕上げ材に解放可能に接続するための弾性固定要素が提供され、この固定要素は、床仕上げ材の下に配置される第１アームと、床仕上げ材の上に配置され、巾木に係合される第２アームと、第１アームを第２アームに連結する連結面とを含み、固定要素は、更に、アーム間の内部空間に配置された少なくとも１つの弾性当接要素を備える。
【０００８】
弾性固定要素は、少なくとも１つの弾性当接要素が、面に沿って拘束およびブロックされる第１位置と、内部空間に延在する第２位置とをとり得ることを特徴とし、固定要素には、少なくとも１つの係合手段が設けられていることで、当接要素を第１位置にブロックし、また、当接要素を第２位置に解放することができる。
【０００９】
好ましくは、当接要素は、固定要素の一体部分を構成し、連結面の材料のストリップを切断することによって形成され、第２位置において、当接要素は、固定要素の内部空間に向けて湾曲した形状を有する。
【００１０】
任意に、当接要素は、連結面に接続された別個の材料のストリップを構成することができる。
【００１１】
係合手段は、好ましくは、固定要素の一体部分を構成し、固定要素の材料のストリップを切断することによって形成され、材料のストリップの自由端が第２位置において当接要素に係合するように、材料のストリップは湾曲した形状を有する。
【００１２】
当接要素は、係合手段を保持するためのブロッキング・ディテントを備えていてもよい。
【００１３】
任意に、係合手段は、固定要素の一体部分を構成し、固定要素の材料のストリップを切断することによって形成され、係合手段は、当接要素を保持するための追加のブロッキング・ディテントを備える。
【００１４】
任意に、係合手段は、固定要素の内部空間に延在するディテントであり、固定要素は、当接要素を固定要素の外側から第２位置に解放可能とする切り欠きを含む。
【００１５】
好ましくは、該ディテントは、固定要素の材料に形成されるノッチによって形成される。
【００１６】
係合手段が固定要素の内部空間に延在するディテントである固定要素には、当接要素を第２位置に解放するために当接要素と協働する制御部材を更に設けることができる。
【００１７】
好ましくは、該ディテントは、固定要素に連結される別個の要素である。
【００１８】
固定要素は、好ましくは、複数の離間した当接要素と、各々が対応する当接要素と協働する複数の係合手段とを備える。
【００１９】
また、好ましくは、固定要素は、固定要素を壁に固定するための少なくとも１つの固定ディテントを含み、この固定ディテントは、好ましくは、固定要素材料に形成された外方に湾曲した角度ノッチを構成する。
【００２０】
本発明によれば、本発明に係る巾木および弾性固定要素を備えた巾木固定システムが提供され、このシステムでは、巾木は、壁当接カバーアームと床当接アームとから構成され、床当接アームは固定要素に係合される。
【００２１】
本発明によるシステムは、システムが組み立てられた状態において、固定要素により巾木を壁際に位置決めされた床カバーに接続するとき、当接要素は第２位置にあり、かつ床カバーの前側に固定要素のアームに沿って指向される圧力を印加する。
【００２２】
本発明による弾性固定要素および固定システムは、巾木を床仕上げ材に確実に連結させることができる。本発明の利点として、設置時に、設置を妨害しない固定要素の当接要素によって印加される圧力により、巾木が壁に対して常に押し付けられている点が挙げられる。
【００２３】
本発明による固定要素およびシステムを添付の図面に示す。
【図面の簡単な説明】
【００２４】
【図１】本発明によるシステムの部分断面図である。
【図２ａ】本発明の２つの実施形態による弾性固定要素の２つの断面斜視図である。
【図２ｂ】本発明の２つの実施形態による弾性固定要素の２つの断面斜視図である。
【図３】設置準備が整った状態の、本発明の第１の実施形態による固定要素の断面斜視図である。
【図４】固定要素の当接要素が自由に延在している、図３に示す固定要素の断面斜視図である。
【図５】設置準備が整った状態の、本発明の第２の実施形態による固定要素の断面斜視図である。
【図６】固定要素の当接要素が自由に延在している、図５に示す固定要素の断面斜視図である。
【図７】設置準備が整った状態の、本発明の第３の実施形態による固定要素の断面斜視図である。
【図８】固定要素の当接要素が自由に延在している、図７に示す固定要素の断面斜視図である。
【図９】設置準備が整った状態の、本発明の第４の実施形態による固定要素の断面斜視図である。
【図１０】固定要素の当接要素が自由に延在している、図９に示す固定要素の断面斜視図である。
【図１１】設置準備が整った状態の、本発明の第５の実施形態による固定要素の断面斜視図である。
【図１２】固定要素の当接要素が自由に延在している、図１１に示す固定要素の断面斜視図である。
【図１３】設置準備が整った状態の、本発明の第６の実施形態による固定要素の断面斜視図である。
【図１４】固定要素の当接要素が自由に延在している、本発明の第６の実施形態による固定要素の断面斜視図である。
【図１５ａ】本発明の第７の実施形態による固定要素の２つの変形例の断面斜視図である。
【図１５ｂ】本発明の第７の実施形態による固定要素の２つの変形例の断面斜視図である。
【発明を実施するための形態】
【００２５】
図１に示すように、本発明によるシステムは、設置時に、例えば床パネル等の床仕上げ材Ｐのための長手方向の仕上げ要素を形成する巾木Ｌおよび弾性固定要素１を含む。巾木Ｌは、例えば、特許文献１に開示されるような形状を有することができ、また、壁当接カバーアームと、自由端縁に沿って延在する係合湾曲部を設けた床当接ベースアームとを有することができる。本発明による固定要素１は、床仕上げ材Ｐの下に配置される第１アーム２と、床仕上げ材Ｐの上に配置され、湾曲部５によって巾木Ｌに係合する第２アーム３とを含む。アーム２およびアーム３は、連結面４によって連結される。固定要素１は、更に、弾性当接要素６を備える。当接要素６は、一旦、固定要素１が設置され、床仕上げ材Ｐが壁際Ｓに敷設されると、床仕上げ材Ｐの前側に対して圧力を印加する機能を有する。第２アーム３が巾木Ｌと係合していることを考慮すると、当接要素６が床仕上げ材Ｐの前面に及ぼす圧力により、巾木Ｌが壁Ｓに押し付けられる結果となる。図１に示すシステムの固定要素１には、設置中に、面４に沿って延在する拘束された当接要素６をブロックする係合手段７が設けられている。一旦、固定要素１が壁際Ｓの最終列に設置された床仕上げ要素の前面に取り付けられると、係合手段７は当接要素６を解放させる働きもする。図１には、図７および図８に示す実施形態による固定要素１を含むシステムの部分断面図が示されており、本発明による固定要素の動作を参照して以下に説明する。
【００２６】
図２ａおよび図２ｂは、２つの当接要素６および２つの係合手段７をそれぞれ含む本発明による固定要素１のより長い断面斜視図を示す。当接要素６は、図２ａに示す固定要素１の一体部分である一方、図２ｂに示す固定要素の当接要素６´は、固定要素の連結面４に取り付けられた別個の材料のストリップである（これについては、次の図を参照して詳細に説明する）。
【００２７】
また、図３および図４は、本発明の第１の実施形態による固定要素１の断面斜視図であり、それぞれ、設置準備が整った状態および当接要素６が自由に延在している状態を示す。この実施形態では、固定要素１は、２本のアームを含む一体形要素を構成し、第１アーム２および第２アーム３は連結面４によって連結される。一体的な当接要素６および一体的な係合手段７は、固定要素の材料から形成される。アーム２は、床仕上げ材Ｐの下に配置され、アーム３は床仕上げ材Ｐの上に配置されることで、両アームおよび連結面４が端縁、即ち、アームによって制限される固定要素１の内部空間内に導入される床仕上げ材の前面を包囲するようにする。アーム３は、その自由端縁に沿って延在する適切な湾曲部５による典型的な方法で、巾木Ｌと係合される。固定要素１は、例えば鋼等の弾性材料、または、任意に、適切な弾性および抵抗を有するプラスチック材料から製造される。
【００２８】
当接要素６は、固定要素１の連結面４の弾性材料を切断した直線状のストリップとして形成される。当接要素６は、非拘束状態では湾曲形状を有し、固定要素１の内部空間内に延在するように形成されている。第１取り付け位置では、当接要素６は拘束されており、面４に沿った力によって指向され、係合手段７によってブロックされている。一方で、一旦、固定要素１が床要素の端縁に取り付けられ、床要素が壁際Ｓに配置されると、係合手段７は、当接要素６を解放するようにブロック解除され、今度は、当接要素６は非拘束的な第２位置に弾性的に戻る傾向があり、床仕上げ材Ｐの前面を押す。
【００２９】
係合手段７は、固定要素１の弾性材料を切断したストリップとしても形成される。このストリップは、その自由端が当接要素６に横断して指向され、係合手段７が当接要素６をその第１位置に保持するのに十分な長さとなるように、図３に示すように湾曲させる。係合手段７の湾曲した中心部分は、操作者のためのハンドルを構成する。
【００３０】
固定要素１は以下のように動作する。設置および巾木Ｌとの係合前に、係合手段７の自由端により、ほぼ面４に沿った第１位置に当接要素６を保持するように、当接要素６の自由端をブロックする。この状態では、固定要素１は、例えば、壁際Ｓに配置される床仕上げ材Ｐの最終列の床パネルの端縁上に取り付けられ、これは、固定要素１が壁Ｓに当接することを意味する。当接要素６は、固定要素１のパネルへの取り付けを妨げないが、これは、当接要素６が固定要素１の内部空間内に延在していないからである。固定要素が取り付けられたパネルの最終列が壁際Ｓに敷設されると、操作者は、ブロックされた当接要素６を解放するように、湾曲部分を把持することによって各係合手段７を上方に傾ける。弾性当接要素６は、図４に示すように、解放されると第２位置に戻る傾向がある。この状況では、当接要素６は、床仕上げ材Ｐの前縁（パネルの最終列）に床仕上げ材Ｐに沿った方向に圧力を印加し始める。続いて、操作者は、ベースアームを固定要素１の上側の第２アーム３に係合させることによって巾木Ｌを取り付ける。この係合により、巾木Ｌは壁Ｓに押し付けられる。
【００３１】
固定要素１が形成される材料は、適切に選択された弾性を有していなければならない。第１に、固定要素１は、床仕上げ材の端縁に取り付けられ、かつ巾木Ｌと係合可能でなければならない。次に、当接要素６および係合手段７を構成する材料の切断されたストリップは、それらの機能を果たすために適切に成形され、かつ湾曲することができなければならない。当接要素６は、床仕上げ材Ｐの前面に必要な圧力を印加しなければならないが、係合手段７は、ブロックされた当接要素６を保持しなければならない一方、他方では、当接要素６を解放するために手動で屈曲可能でなければならない。専門家は、上記の要件を満たす、本発明による固定要素１に適した材料を選択することができるであろう。
【００３２】
係合手段７は、様々な方法で成形することができる。係合手段７の他の実施形態を図５〜図１５に示す。
【００３３】
図３および図４と同様の方法で固定要素１の第２の実施形態を示す、図５および図６に示す係合手段７は、僅かに異なる形状を有し、当接要素６には、その自由端にディテント９が付加的に設けられている。このような係合手段７の形状により、係合手段７を図６に示す位置に向けて下方に、即ち、図３および図４の実施形態における傾斜方向とは反対方向に押し出すことによって、当接要素６を解放することができる。
【００３４】
固定要素１には、図５および図６の番号１３によって指定されており、他の図面にも示される追加の固定ディテントを設けることもできる。面４に配置されたこれらのディテント１３は、壁Ｓに対して固定要素を固定するのに役立つ。固定ディテント１３は、記載された実施形態におけるように、外向きに湾曲された固定要素材料に形成された角度ノッチとして実現されてもよい。
【００３５】
係合手段７の別の実施形態を図７および図８の類似図に示す。この第３の実施形態では、係合手段７は、当接要素６に対してほぼ横方向に切断された固定要素１の帯状断片を構成する。この帯状断片の端部は、ボタン８を形成し、追加のディテント１０も切り欠かれるように湾曲されている。この係合手段７の形状により、図７に矢印で示すように、ボタン８を下方に押下することによって当接要素６を解放可能にする。
【００３６】
別の第４の実施形態が図９および図１０の類似図に示されている。ここでもまた、当接要素６は、固定要素の材料を切断した一体のストリップであり、係合手段７は、ボタン８を形成し、かつ追加のディテント１０も切り欠かれるように湾曲された端部を有する。係合手段７は、部分的に横方向に、かつ部分的に当接要素６に沿って切断された固定要素１の材料の断片を構成する。
【００３７】
図１１および図１２は、本発明の第５の実施形態による固定要素の断面を示す。この実施形態では、係合手段はディテント７´である。ディテント７´は、図１１および図１２に示すように、固定要素１の材料を切り欠いて形成することができる。任意に、ディテント７´は、任意の適切な手段（図示せず）によって固定要素１に取り付けられた別個の要素を構成することができる。当接要素６は、固定要素１内に切り取られた開口部１２を介して第２位置に解放されてもよく、当接要素６は、該開口部１２を介して導入される付加的なツールによって解放されてもよい。
【００３８】
図１３および１４に示される、この実施形態の好ましい変形例では、固定要素１には、更に、当接要素６を第２位置に解放するために、当接要素６と協働する制御部材１１が設けられている。これは、実際には、制御部材１１の自由端が図１４に示す位置に傾いている間、制御部材１１の対向端部が、当接要素６を持ち上げて、当接要素６をディテント７´から解放させる当接要素６の自由端と干渉することを意味する。
【００３９】
図１５ａおよび図１５ｂは、図９および図１０に示す第４の実施形態に類似する、本発明の第７の実施形態による固定要素の２つの変形例の断面斜視図を示す。この実施形態では、当接要素６´は固定要素１の一体部分ではないが、固定要素１に取り付けられた別個の要素である。これは、一端にて、適切な連結手段、例えばリベットによって固定要素１の内部空間に対面する側の固定要素１の連結面４に取り付けられた適切な弾性材料のストリップである。固定要素１の材料内に切り取られた開口部は、様々なサイズを有することができ、図１５ａに示す開口部は比較的大きい一方で、図１５ｂに示す開口部はより小さい。
【図１】
2019513928.tif 000003
【図２ａ】
2019513928.tif 000004
【図２ｂ】
2019513928.tif 000005
【図３】
2019513928.tif 000006
【図４】
2019513928.tif 000007
【図５】
2019513928.tif 000008
【図６】
2019513928.tif 000009
【図７】
2019513928.tif 000010
【図８】
2019513928.tif 000011
【図９】
2019513928.tif 000012
【図１０】
2019513928.tif 000013
【図１１】
2019513928.tif 000014
【図１２】
2019513928.tif 000015
【図１３】
2019513928.tif 000016
【図１４】
2019513928.tif 000017
【図１５ａ】
2019513928.tif 000018
【図１５ｂ】
2019513928.tif 000019
【国際調査報告】
2019513928.tif 000020
2019513928.tif 000021